(57)【要約】【課題】使い勝手が良く、安全性を向上させた彫刻刀ケースを提供する。【解決手段】彫刻刀４を収納保持するケース本体１と、このケース本体１を内包可能であって、屈伸部２３を介して互いに連続した身部２１と蓋部２２からなりケース本体１が身部２１の内面２１ａに設けられたソフトカバー２と、このソフトカバー２を、身部２１と蓋部２２が内面２１ａ，２２ａ同士で対向した状態及び外面同士で対向した状態のいずれの状態でも開閉可能な開閉手段３と、からなる。好ましくは、開閉手段３が、ソフトカバー２の外面側及び内面側の双方から操作可能なスライダ３３により開閉されるリバーシブルファスナ３からなる。【選択図】図１
0003178399.tif 000002
【実用新案登録請求の範囲】
【請求項１】
彫刻刀を収納保持するケース本体と、このケース本体を内包可能であって、屈伸部を介して互いに連続した身部と蓋部からなり前記ケース本体が前記身部の内面に設けられたソフトカバーと、このソフトカバーを、前記身部と蓋部が内面同士で対向した状態及び外面同士で対向した状態のいずれの状態でも開閉可能な開閉手段と、からなることを特徴とする彫刻刀ケース。
【請求項２】
開閉手段が、ソフトカバーの外面側及び内面側の双方から操作可能なスライダにより開閉されるリバーシブルファスナからなることを特徴とする請求項１に記載の彫刻刀ケース。
【考案の詳細な説明】
【技術分野】
【０００１】
本考案は彫刻刀ケースであって、特に、彫刻刀を収納保持するケース本体と、このケース本体を覆うソフトカバーを一体に有するものに関する。
【背景技術】
【０００２】
小学校などの図画工作の授業で児童が版画などの制作に使う彫刻刀セットを収納するケースとして、従来から、例えば図５に示すように、複数の彫刻刀１３０を収納保持する合成樹脂製のケース本体１１０と、このケース本体１１０を覆うソフトカバー１２０を一体に有する彫刻刀ケース１００がある。ソフトカバー１２０は柔軟な素材からなる縫製仕様のものであって、折り返し部１２３で互いに連続していると共にファスナ１２４によって開閉可能な身部１２１と蓋部１２２を有し、ケース本体１１０が身部１１１の内面に適当な固定手段によって取り付けられている。
【０００３】
なお、彫刻刀を収納保持するケース本体と、このケース本体を覆うソフトカバーを一体に有する彫刻刀ケースに関する技術文献としては、下記のようなものがある。
【先行技術文献】
【特許文献】
【０００４】
【特許文献１】実用新案登録第３１１３８３６号公報
【考案の概要】
【考案が解決しようとする課題】
【０００５】
しかしながらこの種の彫刻刀ケース１００は、蓋部１２２を開いてソフトカバー１２０を見開き状態にして使おうとすると、教室の狭い机（幅約60cm、奥行約40cm）の上では場所をとってしまい、版画制作作業などに支障を来たすおそれがある。そこで図６に示すように、ソフトカバー１２０を裏返しに折り返して蓋部１２２が身部１１１の下側になるようにして使うことがあるが、この場合、折り返し部１２３の弾性によって身部１１１がその下側の蓋部１２２から浮き上がった状態になってしまい、安定しないという問題があった。
【０００６】
また、机の上での作業スペース確保のため、ソフトカバー１２０から、彫刻刀１３０を収納保持した合成樹脂製のケース本体１１０を取り外して使用することができるものもあるが、この場合は、ケース本体１１０全体を持ってソフトカバー１２０から出し入れする際に、彫刻刀１３０がケース本体１１０からこぼれ落ちてしまうおそれもあり、危険性が懸念される。
【０００７】
本考案は、以上のような点に鑑みてなされたものであって、その技術的課題は、使い勝手が良く、安全性を向上させた彫刻刀ケースを提供することにある。
【課題を解決するための手段】
【０００８】
上述した技術的課題を有効に解決するための手段として、請求項１の考案に係る彫刻刀ケースは、彫刻刀を収納保持するケース本体と、このケース本体を内包可能であって、屈伸部を介して互いに連続した身部と蓋部からなり前記ケース本体が前記身部の内面に設けられたソフトカバーと、このソフトカバーを、前記身部と蓋部が内面同士で対向した状態及び外面同士で対向した状態のいずれの状態でも開閉可能な開閉手段と、からなることを特徴とするものである。
【０００９】
請求項１の構成によれば、ソフトカバーを、その身部と蓋部が内面同士で対向した状態として開閉手段により閉じれば、ソフトカバーによってケース本体を内包した状態とすることができる。また、ソフトカバーを、屈伸部を介して裏返しに折り返して身部と蓋部が外面同士で対向した状態として開閉手段により閉じれば、ソフトカバーをケース本体の台座とすることができ、この場合、身部がその下側の蓋部から浮き上がった状態になることがないので、ケース本体が安定する。
【００１０】
請求項２の考案に係る彫刻刀ケースは、請求項１に記載の構成において、開閉手段が、ソフトカバーの外面側及び内面側の双方から操作可能なスライダにより開閉されるリバーシブルファスナからなることを特徴とするものである。
【００１１】
請求項２のように、開閉手段としてリバーシブルファスナを用いれば、ソフトカバーを、その身部と蓋部が内面同士で対向した状態として開閉する作業、及び、屈伸部を介して裏返しに折り返して身部と蓋部が外面同士で対向した状態として開閉する作業を、スライダの操作によって容易に行うことができる。
【考案の効果】
【００１２】
本考案に係る彫刻刀ケースによれば、彫刻刀を使用する際に、ソフトカバーを裏返しに折り返した状態で開閉手段により閉じることができるので、机の上での作業スペースが狭くならず、しかもソフトカバーの身部がその下側の蓋部から浮き上がった状態にならず、ケース本体が安定するので、安全性が向上する。
【図面の簡単な説明】
【００１３】
【図１】本考案に係る彫刻刀ケースの好ましい実施の形態において、ソフトカバーを開いた状態を示す平面図である。
【図２】本考案に係る彫刻刀ケースの好ましい実施の形態において、ソフトカバーを半開きにした状態を示す斜視図である。
【図３】本考案に係る彫刻刀ケースの好ましい実施の形態において、ケース本体を内包してソフトカバーを閉じた状態を示す斜視図である。
【図４】本考案に係る彫刻刀ケースの好ましい実施の形態において、ソフトカバーを裏返しにして閉じた状態を示す斜視図である。
【図５】従来の彫刻刀ケースの一例において、ソフトカバーを半開きにした状態を示す斜視図である。
【図６】従来の彫刻刀ケースの一例において、ソフトカバーを裏返しにした状態を示す斜視図である。
【考案を実施するための形態】
【００１４】
以下、本考案に係る彫刻刀ケースの好ましい実施の形態について、図１〜図４を参照しながら説明する。
【００１５】
図１に示すように、この彫刻刀ケースは、彫刻刀４を収納保持するケース本体１と、このケース本体１を内包可能であって、屈伸部２３を介して互いに連続した身部２１と蓋部２２からなり前記ケース本体１が身部２１の内面に設けられたソフトカバー２と、このソフトカバー２を、前記身部２１と蓋部２２がその内面２１ａ，２２ａ同士で対向した状態及び図２に示す外面２１ｂ，２２ｂ同士で対向した状態のいずれの状態でも開閉可能なリバーシブルファスナ３と、からなる。
【００１６】
ケース本体１は合成樹脂材で箱状に成形されたものであって、底板１１及びその外縁から立ち上がる側板１２及び複数の仕切り板１３によって、小丸刀４１、切出刀４２、丸刀４３、平刀４４、三角刀４５など、刃４ａの形状の異なる複数の彫刻刀４を１セットとして収納保持可能な複数の収納スペース１ａが画成されている。また、刃４ａに過って触れて手指などを怪我することのないように刃４ａの収納位置の上部には保護板１４が設けられ、側板１２及び仕切り板１３には、各収納スペース１ａから彫刻刀４（柄４ｂ）を取り出しやすいように、切欠１２ａ，１３ａが形成されている。さらに、過って身部２１を上にして開けたような場合でも、彫刻刀４がケース本体１からこぼれ落ちるのを防止するためのゴムバンド１５を設けている。
【００１７】
ソフトカバー２は、布地あるいは合成樹脂シートを二重にしてその間に緩衝材などを挟み込んで縫製したものであって、上述のように身部２１、蓋部２２及びその間の容易に撓み変形可能な屈伸部２３からなる。そしてケース本体１は、その底面（底板１１の下面）が樹脂又は金属のハトメなどの適当な固着手段によって身部２１の内面２１ａに取り付けられている。また、身部２１及び蓋部２２の平面投影面積はケース本体１の平面投影面積より大きく、このため身部２１と蓋部２２の内面２１ａ，２２ａ同士を対向させてリバーシブルファスナ３を閉じた状態では、このソフトカバー２にケース本体１が内包されるようになっている。
【００１８】
リバーシブルファスナ３は、ソフトカバー２に、その屈伸部２３の一端から、身部２１の外縁を略コ字形に取り囲むように縫着されたファスナテープ及びこのファスナテープの縁に設けられた歯列からなる第一の噛合要素３１と、ソフトカバー２に、その屈伸部２３の一端から、蓋部２２の外縁を略コ字形に取り囲むように縫着されたファスナテープ及びこのファスナテープの縁に設けられた歯列からなる第二の噛合要素３２と、これら第一及び第二の噛合要素３１，３２の双方の歯列に摺動可能に係合され、第一及び第二の噛合要素３１，３２に沿って摺動させることにより内部のＹ字状通路（不図示）内で第一の噛合要素３１の歯列と第二の噛合要素３２の歯列を互いに噛合又は分離させるスライダ３３と、このスライダ３３を操作するための引手３４を備える。第一及び第二の噛合要素３１，３２は、図１及び図４に参照符号３ａで示すように、屈伸部２３の他端側で互いに連続している。また引手３４は、スライダ３３の表裏両側へ移動可能であり、このためスライダ３３の移動は、ソフトカバー２の外面側及び内面側の双方から操作することができるようになっている。
【００１９】
図示の実施の形態による彫刻刀ケースは、以上のように構成されているため、彫刻刀４を持ち運んだり保管したりする際には、図２に示すように、ソフトカバー２をその身部２１と蓋部２２が内面２１ａ，２２ａ同士で対向した状態に折り畳んで、リバーシブルファスナ３のスライダ３３を、ソフトカバー２の外面側へ出した引手３４を手指でつまんで操作することによって、このリバーシブルファスナ３の第一の噛合要素３１の歯列と第二の噛合要素３２を互いに噛合させて閉じれば、ソフトカバー２によってケース本体１を内包した状態（図３に示す状態）とすることができる。このため、過って彫刻刀ケースを落下させたような場合でも、ケース本体１内の彫刻刀４がばらばらになって飛び出すようなことがないので安全であり、ソフトカバー２によって衝撃が緩和されるので、ケース本体１の損傷なども有効に防止される。
【００２０】
また、例えば版画制作などの作業のために彫刻刀４を使う際には、まず図３に示す収納状態からリバーシブルファスナ３を開くことによってソフトカバー２を開いて、図４に示すように、屈伸部２３を介して裏返しに折り返すことによって身部２１と蓋部２２を外面同士で対向した状態とし、裏返しになったソフトカバー２の外側へ出したリバーシブルファスナ３の引手３４を手指でつまんでスライダ３３を操作することによって、このリバーシブルファスナ３を閉じれば、ソフトカバー２がケース本体１の台座となり、この場合、身部２１がその下側の蓋部２２から浮き上がった状態になることがないので、ケース本体１が安定する。しかも図１に示すように開いた状態に比較して場所を取らないので、狭い机の上でも彫刻作業スペースを確保することができる。
【００２１】
そして時間の限られた版画制作の授業においては、ケース本体１の出し入れや危険を伴う作業はできるだけ排除することが望ましく、この点において、本考案によればソフトカバー２を裏返してリバーシブルファスナ３で閉じるだけで良いので、ケース本体１をソフトカバー２から出し入れする必要はなく、しかも安定して机上に載置できるので安全である。
【００２２】
ケース本体１から、使用する彫刻刀４を取り出す場合は、収納スペース１ａを画成している側板１２及び仕切り板１３に切欠１２ａ，１３ａが形成されているので、彫刻刀４の柄４ｂ手指でつまみやすく、容易に取り出すことができる。
【００２３】
なお、ソフトカバー２をリバーシブルで開閉する開閉手段としては、ホックや面ファスナなどを使うことも考えられるが、リバーシブルファスナ３は、ソフトカバー２を裏返して開閉する作業をスライダ３３の操作によって容易に行うことができるので、準備や後片付けなどの時間を節約することができる。
【符号の説明】
【００２４】
１  ケース本体
２  ソフトカバー
２１  身部
２２  蓋部
３  リバーシブルファスナ
３３  スライダ
４  彫刻刀
【図１】
0003178399.tif 000003
【図２】
0003178399.tif 000004
【図３】
0003178399.tif 000005
【図４】
0003178399.tif 000006
【図５】
0003178399.tif 000007
【図６】
0003178399.tif 000008